(57)【要約】【課題】換気扇の設置作業の簡素化が可能な換気装置及びその設置方法、並びに、その換気装置に用いられるアタッチメントを提供する。【解決手段】天井ボード１９に形成された開口１９ａの上方で、吸気口２０を下側に配して、天井スラブ１１に吊られる換気扇１２と、軸心を上下方向に配した状態で上側が吸気口２０に連結され、換気扇１２の作動により下側から天井ボード１９の下方の空気が流入する筒状のアタッチメント１３と、開口１９ａを下から覆った状態でアタッチメント１３に取り付けられる孔開きカバー１４とを備える。【選択図】図１
2017187198.tif 000002
【特許請求の範囲】
【請求項１】
天井ボードに形成された開口の上方で、吸気口を下側に配して、天井スラブに吊られる換気扇と、軸心を上下方向に配した状態で上側が前記吸気口に連結され、前記換気扇の作動により下側から前記天井ボードの下方の空気が流入する筒状のアタッチメントと、前記開口を下から覆った状態で前記アタッチメントに取り付けられる孔開きカバーとを備えることを特徴とする換気装置。
【請求項２】
請求項１記載の換気装置において、前記吸気口に連結された前記アタッチメントの高さ位置を調整する位置調整機構が設けられていることを特徴とする換気装置。
【請求項３】
請求項２記載の換気装置において、前記位置調整機構は、前記アタッチメントに取り付けられた装着部Ａ、及び、該装着部Ａに基端側がそれぞれ連結され、弾性力Ｐによってそれぞれの先端が距離Ｄだけ離れようとする第１、第２のアームを有するバネ部材Ｂと、前記換気扇に設けられ、前記第１、第２のアームが前記距離Ｄより近付けられた先端からそれぞれ挿通される挿通部Ｃとを有し、前記第１、第２のアームは、前記挿通部Ｃに挿通されて前記弾性力Ｐによって前記アタッチメントを前記換気扇に対して引き上げることを特徴とする換気装置。
【請求項４】
請求項３記載の換気装置において、前記装着部Ａは、前記アタッチメントの内側に取り付けられ、前記挿通部Ｃは、前記吸気口内に設けられていることを特徴とする換気装置。
【請求項５】
請求項１〜４のいずれか１項に記載の換気装置において、前記アタッチメントは、前記天井ボードの前記開口の外周に下側から当接する折り返し部を具備することを特徴とする換気装置。
【請求項６】
請求項１〜５のいずれか１項に記載の換気装置において、前記孔開きカバーに取り付けられた装着部ａ、及び、該装着部ａに基端側がそれぞれ連結され、弾性力ｐによってそれぞれの先端が距離ｄだけ離れようとする第３、第４のアームを有するバネ部材ｂを更に備え、前記アタッチメントには、前記第３、第４のアームが前記距離ｄより近付けられた先端側からそれぞれ挿通される挿通部ｃが設けられ、前記第３、第４のアームは、前記挿通部ｃに挿通されて前記弾性力ｐによって前記孔開きカバーを前記アタッチメントに引き寄せることを特徴とする換気装置。
【請求項７】
換気扇に連結される筒状のアタッチメントであって、
天井ボードに形成された開口の上方で吸気口を下側に配して天井スラブに吊られた前記換気扇に対し、軸心を上下方向に配した状態で上側が該吸気口に連結され、前記換気扇の作動により下側から前記天井ボードの下方の空気が流入することを特徴とするアタッチメント。
【請求項８】
請求項７記載のアタッチメントにおいて、前記天井ボードの前記開口の外周に下側から当接する折り返し部を備えることを特徴とするアタッチメント。
【請求項９】
請求項７又は８記載のアタッチメントにおいて、外側にシール部材が取り付けられて、前記吸気口の内側に差し込まれる枠部を上側に備えることを特徴とするアタッチメント。
【請求項１０】
天井スラブに吊られた吊り部材に、吸気口を下側に配した状態で換気扇を固定する工程と、
水平棒材を、前記天井スラブに吊って前記換気扇より下側に配置させ、該水平棒材の該換気扇の直下に位置する部分を取り除く工程と、
前記水平棒材に下側から天井ボードを固定し、該天井ボードの前記換気扇の直下に位置する領域を取り除いて開口を形成する工程と、
軸心を上下方向に配した筒状のアタッチメントの上側を前記吸気口に連結する工程と、
孔開きカバーを、前記アタッチメントに下側から取り付けて、前記開口を下から覆う工程とを有することを特徴とする換気装置の設置方法。
【請求項１１】
天井スラブに吊られた吊り部材に、吸気口を下側に配した状態で換気扇を固定する工程と、
水平棒材を、前記天井スラブに吊って前記換気扇より下側に配置させる工程と、
前記水平棒材に下側から天井ボードを固定し、該天井ボードの前記換気扇の直下に位置する領域を取り除いて開口を形成すると共に、前記水平棒材の前記換気扇の直下に位置する部分を取り除く工程と、
軸心を上下方向に配した筒状のアタッチメントの上側を前記吸気口に連結する工程と、
孔開きカバーを、前記アタッチメントに下側から取り付けて、前記開口を下から覆う工程とを有することを特徴とする換気装置の設置方法。
【請求項１２】
請求項１０又は１１記載の換気装置の設置方法において、前記アタッチメントに取り付けられた装着部Ａ、及び、該装着部Ａに基端側がそれぞれ連結され、弾性力Ｐによってそれぞれの先端が距離Ｄだけ離れようとする第１、第２のアームを有するバネ部材Ｂが設けられ、前記第１、第２のアームを、前記換気扇に形成された挿入部Ｃに、前記距離Ｄより近付けられた先端側からそれぞれ挿入して、前記弾性力Ｐによって前記アタッチメントを前記換気扇に引き付けて前記吸気口に連結することを特徴とする換気装置の設置方法。
【請求項１３】
請求項１０〜１２のいずれか１項に記載の換気装置の設置方法において、前記アタッチメントは折り返し部を備え、該アタッチメントが前記換気扇に連結されて、該折り返し部が、前記天井ボードの前記開口の外周に下側から当接することを特徴とする換気装置の設置方法。
【発明の詳細な説明】
【技術分野】
【０００１】
本発明は、換気扇を有する換気装置及び換気装置の天井への設置方法、並びに、換気扇に連結されるアタッチメントに関する。
【背景技術】
【０００２】
天井への換気扇の取り付けには、特許文献１に記載のように、天井ボード（天井板）に換気扇を固定する方法や、天井スラブに換気扇を吊って固定する方法がある。
天井ボードに換気扇を固定する方法は、地震等により天井ボードが落下すると、換気扇も落下する。この点、天井スラブに換気扇を吊って固定する方法は、天井ボードが落下しても、天井スラブに換気扇を吊った状態を維持できるという利点がある。
【先行技術文献】
【特許文献】
【０００３】
【特許文献１】特開２０００−１３０８１６号公報
【発明の概要】
【発明が解決しようとする課題】
【０００４】
天井スラブに換気扇を吊る従来の方法の具体的な工程を、以下に記す。
まず、図８（Ａ）に示すように、ダクト１０３が接続された換気扇１０２を、天井スラブ１０１から吊られた吊りボルト１０４にナット１０５で固定する。このとき、換気扇１０２は、格子状に水平配置される複数の軽量鉄骨材１０６、１０７の取り付け予定位置より上側で固定される。
【０００５】
次に、天井スラブ１０１に複数の軽量鉄骨材１０６、１０７を吊って固定し、図８（Ｂ）に示すように、複数の軽量鉄骨材１０６、１０７において、換気扇１０２の下方に位置する領域を切り取った後、ナット１０５を緩めて、換気扇１０２を、換気扇１０２の下端が、次工程で複数の軽量鉄骨材１０６、１０７の下側に取り付けられる天井ボード１０８の取り付け目標位置に配されるように下方に移動させ、ナット１０５を締めて換気扇１０２を吊りボルト１０４に固定する。
【０００６】
そして、複数の軽量鉄骨材１０６、１０７に天井ボード１０８を取り付け、天井ボード１０８において、換気扇１０２の直下に位置する領域を切り取った後、孔開きカバー１０９の外周部を天井ボード１０８に下から密着させた状態にし、孔開きカバー１０９を換気扇１０２の下端に固定する。
従って、天井スラブ１０１に換気扇１０２を吊る従来の方法では、一旦固定した換気扇１０２を下方に移動させて再度固定することが必要で、換気扇１０２の設置作業が煩雑であるという課題があった。
【０００７】
本発明は、かかる事情に鑑みてなされるもので、設置作業の簡素化が可能な換気装置及びその設置方法、並びに、その換気装置に用いられるアタッチメントを提供することを目的とする。
【課題を解決するための手段】
【０００８】
前記目的に沿う第１の発明に係る換気装置は、天井ボードに形成された開口の上方で、吸気口を下側に配して、天井スラブに吊られる換気扇と、軸心を上下方向に配した状態で上側が前記吸気口に連結され、前記換気扇の作動により下側から前記天井ボードの下方の空気が流入する筒状のアタッチメントと、前記開口を下から覆った状態で前記アタッチメントに取り付けられる孔開きカバーとを備える。
【０００９】
前記目的に沿う第２の発明に係るアタッチメントは、換気扇に連結される筒状のアタッチメントであって、天井ボードに形成された開口の上方で吸気口を下側に配して天井スラブに吊られた前記換気扇に対し、軸心を上下方向に配した状態で上側が該吸気口に連結され、前記換気扇の作動により下側から前記天井ボードの下方の空気が流入する。
【００１０】
前記目的に沿う第３の発明に係る換気装置の設置方法は、天井スラブに吊られた吊り部材に、吸気口を下側に配した状態で換気扇を固定する工程と、水平棒材を、前記天井スラブに吊って前記換気扇より下側に配置させ、該水平棒材の該換気扇の直下に位置する部分を取り除く工程と、前記水平棒材に下側から天井ボードを固定し、該天井ボードの前記換気扇の直下に位置する領域を取り除いて開口を形成する工程と、軸心を上下方向に配した筒状のアタッチメントの上側を前記吸気口に連結する工程と、孔開きカバーを、前記アタッチメントに下側から取り付けて、前記開口を下から覆う工程とを有する。
【００１１】
前記目的に沿う第４の発明に係る換気装置の設置方法は、天井スラブに吊られた吊り部材に、吸気口を下側に配した状態で換気扇を固定する工程と、水平棒材を、前記天井スラブに吊って前記換気扇より下側に配置させる工程と、前記水平棒材に下側から天井ボードを固定し、該天井ボードの前記換気扇の直下に位置する領域を取り除いて開口を形成すると共に、前記水平棒材の前記換気扇の直下に位置する部分を取り除く工程と、軸心を上下方向に配した筒状のアタッチメントの上側を前記吸気口に連結する工程と、孔開きカバーを、前記アタッチメントに下側から取り付けて、前記開口を下から覆う工程とを有する。
【発明の効果】
【００１２】
第１の発明に係る換気装置は、天井スラブに吊られる換気扇と、軸心を上下方向に配した状態で上側が換気扇の吸気口に連結され、換気扇の作動により下側から天井ボードの下方の空気が流入する筒状のアタッチメントとを備える。従って、天井スラブに換気扇を吊った後、天井ボードを固定する水平棒材及び天井ボードを換気扇の下位置に取り付け、換気扇の直下に位置する水平棒材及び天井ボードの領域を取り除いた後に、吸気口にアタッチメントを連結することで、天井スラブに吊った換気扇を下方に移動させることなく換気装置を設置することができ、換気装置の設置作業の簡素化が可能である。
【００１３】
また、第２の発明に係るアタッチメントは、換気扇に対し、軸心を上下方向に配した状態で上側が換気扇の吸気口に連結され、換気扇の作動により下側から天井ボードの下方の空気が流入するので、このアタッチメントを採用することによって、天井スラブに吊った換気扇を下方に移動させることなく換気装置の設置を完了でき、換気装置の設置作業の簡素化を可能にする。
【００１４】
そして、第３、第４の発明に係る換気装置の設置方法は、天井スラブに吊られた吊り部材に、吸気口を下側に配した状態で換気扇を固定し、換気扇の下側に配置した水平棒材及び水平棒材に固定された天井ボードそれぞれの換気扇の直下の領域を取り除いた後に、アタッチメントの上側を吸気口に連結するので、換気扇を下方に移動させる必要がなく、換気装置の設置作業の簡素化が可能である。
【図面の簡単な説明】
【００１５】
【図１】本発明の一実施の形態に係る換気装置の側面図である。
【図２】アタッチメントの説明図である。
【図３】換気扇に取り付けられたアタッチメントの様子を示す底面図である。
【図４】バネ部材によるアタッチメントの換気扇への取り付けを示す説明図である。
【図５】位置調整機構の変形例の説明図である。
【図６】（Ａ）、（Ｂ）はそれぞれ、換気装置の設置方法の説明図である。
【図７】（Ａ）、（Ｂ）はそれぞれ、換気装置の設置方法の説明図である。
【図８】（Ａ）、（Ｂ）はそれぞれ、従来の換気装置の取り付けを示す説明図である。
【発明を実施するための形態】
【００１６】
続いて、添付した図面を参照しつつ、本発明を具体化した実施の形態につき説明し、本発明の理解に供する。
図１に示すように、本発明の一実施の形態に係る換気装置１０は、天井スラブ１１に吊られる換気扇１２と、換気扇１２に連結される筒状のアタッチメント１３と、アタッチメント１３に取り付けられる孔開きカバー１４とを備えている。以下、詳細に説明する。
【００１７】
主としてコンクリートからなる天井スラブ（天井躯体）１１には、図１に示すように、複数の吊りボルト１５（吊り部材の一例）が吊られており、換気扇１２は、複数の吊りボルト１５それぞれにナット１６によって固定されている。天井スラブ１１の下方には、吊りボルト１５より低い位置に、格子状に配された複数の水平棒材１７、１８が、図示しない吊り部材によって天井スラブ１１から吊られて固定され、複数の水平棒材１７、１８には下側から天井ボード１９が取り付けられている。本実施の形態では、水平棒材１７、１８に、軽量鉄骨材を採用している。
【００１８】
複数の水平棒材１７、１８及び天井ボード１９は、図１、図２に示すように、換気扇１２の直下に配された領域が取り除かれており、天井ボード１９には開口１９ａが形成されている。
換気扇１２は、吸気口２０が形成されたカバー体２１、カバー体２１に取り付けられたモータ２２、及び、カバー体２１内に収容され、モータ２２の駆動により回転するファン２３を備えている。換気扇１２は、吸気口２０を下側に配した状態で、複数の吊りボルト１５によって天井スラブ１１に吊られ、複数の水平棒材１７、１８より高い位置で、開口１９ａの上方に固定されている。
【００１９】
カバー体２１には、ダクト２４に接続された排気部２５が連結されている。
カバー体２１は、図２、図３に示すように、板状の側壁部２６ａ、２６ｂ、２６ｃ、２６ｄ及び側壁部２６ａ、２６ｂ、２６ｃ、２６ｄの下端に設けられたフランジ（折り返し部）２７を備えている。側壁部２６ａ、２６ｃは対向配置され、側壁部２６ｂ、２６ｄは対向配置され、側壁部２６ａ、２６ｂ、２６ｃ、２６ｄはその下側領域で吸気口２０を四方から囲んでいる。側壁部２６ｂ、２６ｄの内側には、断面Ｌ字状の金具２８、２９がそれぞれ固定され、金具２８、２９には、図３、図４に示すように、吸気口２０の中心に向かって突出した部分に、貫通孔３０（挿入部Ｃ）がそれぞれ形成されている。従って、貫通孔３０は、吸気口２０内に設けられている。
【００２０】
アタッチメント１３は、図１、図２、図３に示すように、対向配置された板状の側壁部３２ａ、３２ｃ及び対応配置された板状の側壁部３２ｂ、３２ｄを有し、側壁部３２ａ、３２ｂ、３２ｃ、３２ｄによって、断面が矩形状（正方形状を含む）の筒状に形成されている。側壁部３２ａ、３２ｂ、３２ｃ、３２ｄは、上部が側壁部２６ａ、２６ｂ、２６ｃ、２６ｄの下部内側にそれぞれ近接配置されて、吸気口２０に差し込まれている。よって、アタッチメント１３は、軸心を上下方向に配した状態で上側が吸気口２０に連結されて、換気扇１２に取り付けられていることとなる。
【００２１】
側壁部３２ａ、３２ｂ、３２ｃ、３２ｄの下端には、図２に示すように、アタッチメント１３の外側に突出した折り返し部３１が設けられ、折り返し部３１は、天井ボード１９の開口１９ａの外周に下側から当接している。
側壁部３２ｂ、３２ｄの内側には、断面Ｌ字状の金具３３、３４が、金具２８、２９の下方位置で平面視して金具２８、２９と重なるようにそれぞれ取り付けられ、金具３３、３４には、アタッチメント１３を換気扇１２に固定するバネ部材３５、３６（バネ部材Ｂ）がそれぞれ連結されている。
【００２２】
バネ部材３５（バネ部材３６についても同じ）は、図４に示すように、金具３３（バネ部材３６については金具３４）に取り付けられたバネ部材３５の中心部分である装着部３７（装着部Ａ）及び装着部３７に基端側がそれぞれ連結され、弾性力Ｐによってそれぞれの先端が距離Ｄだけ離れようとするアーム３８、３９（第１、第２のアーム）を有している。
金具３３、３４は、アタッチメント１３の内側に取り付けられていることから、バネ部材３５、３６の装着部３７は、アタッチメント１３の内側に取り付けられていることとなる。なお、バネ部材３５、３６は、針金を加工してなるもので、装着部３７は、針金の一部領域が螺旋状に巻かれて形成されている。
【００２３】
アタッチメント１３の換気扇１２への取り付けは、アタッチメント１３が吸気口２０に未連結で、折り返し部３１が天井ボード１９より下方にある状態で、バネ部材３５のアーム３８、３９の先端を金具２８の貫通孔３０に下側から挿通させ、バネ部材３６のアーム３８、３９の先端を金具２９の貫通孔３０に下側から挿通させることによって行われる。
バネ部材３５（バネ部材３６についても同じ）は、アーム３８、３９の先端間の距離を距離Ｄより小さくした状態でアーム３８、３９をその先端から金具２８の貫通孔３０（バネ部材３６については金具２９の貫通孔３０）に、それぞれ挿通して、貫通孔３０を通過したアーム３８、３９の各先端が離れようとする弾性力Ｐによってアタッチメント１３を換気扇１２に対して引き上げる。
【００２４】
バネ部材３５、３６はそれぞれ、アーム３８、３９の先端が距離Ｄ離れるまで、アタッチメント１３に対し、換気扇１２へ引き上げようとする力を作用させ、折り返し部３１が天井ボード１９の開口１９ａの外周に下側から当接するまで、即ち、アタッチメント１３がこれ以上上昇できなくなるまで、アタッチメント１３を上昇させる。本実施の形態では、折り返し部３１が天井ボード１９の開口１９ａの外周に当接した状態で、アタッチメント１３の上側が吸気口２０に連結される。
【００２５】
従って、吸気口２０に連結されたアタッチメント１３の高さ位置は、天井スラブ１１に吊られた換気扇１２と天井ボード１９の距離に応じて変わることとなる。よって、バネ部材３５、３６は、金具３３、３４と共に、換気扇１２に連結されたアタッチメント１３の高さ位置を、換気扇１２と天井ボード１９の距離に応じて調整可能であり、本実施の形態では、吸気口２０に連結されたアタッチメント１３の高さ位置を調整する位置調整機構が、主としてバネ部材３５、３６と金具３３、３４（金具３３、３４にそれぞれ形成された貫通孔３０を含む）によって構成されている。
【００２６】
折り返し部３１は、図２に示すように、折り返し部３１に形成された図示しない複数の貫通孔をそれぞれ挿通する複数の螺子４０によって、天井ボード１９に取り付けられている。そして、側壁部３２ａ、３２ｂ、３２ｃ、３２ｄの吸気口２０に差し込まれる上部には、図２、図３に示すように、外側に、側壁部２６ａ、２６ｂ、２６ｃ、２６ｄの内側に接したシール部材４１が貼り付けられている。側壁部２６ａ、３２ａの間、側壁部２６ｂ、３２ｂの間、側壁部２６ｃ、３２ｃの間及び側壁部２６ｄ、３２ｄの間は、シール部材４１によって、天井ボード１９の上側空間から換気扇１２への空気の流入を抑制している。
【００２７】
ここで、位置調整機構は、バネ部材３５、３６及び金具３３、３４を有するものに限定されず、例えば、バネ部材を有さない位置調整機構を採用してもよい。以下、図５を参照して、バネ部材を有さない位置調整機構について説明する。なお、図５には、アタッチメントの内側からアタッチメントの側壁部４２を見た様子が描かれている。
バネ部材を有さない位置調整機構は、図５に示すように、アタッチメントの４つの側壁部４２それぞれに、上下方向に所定の間隔を空けて設けられた複数の貫通孔４３と、換気扇の４つの側壁部４４それぞれに設けられた貫通孔４５と、各側壁部４２の一の貫通孔４３及び各側壁部４４の貫通孔４５に取り付けられる螺子４６とを有している。
【００２８】
作業者は、４つの側壁部４２の上部が換気扇の吸気口４７に連結され、４つの側壁部４２の下端に連結された図示しない折り返し部が、天井ボードの開口の外周に下側から当接するまで、アタッチメントを押し上げた状態で、各側壁部４２の一の貫通孔４３と各側壁部４４の貫通孔４５の位置合わせをし、それぞれに螺子４６を取り付けて、アタッチメントを換気扇に固定する。
各側壁部４２には、複数の貫通孔４３を覆った透光性を有するフイルム４８が貼り付けられている。各フイルム４８は、選択された一の貫通孔４３が形成された領域のみが破られ、螺子４６が差し込まれることから、螺子４６が差し込まれていない貫通孔４３から吸気口４７への空気の流入を防止することができる。
【００２９】
また、アタッチメント１３には、図２に示すように、側壁部３２ｂの内側の金具３３の下方に、断面Ｌ字状の金具４９が取り付けられ、側壁部３２ｄの内側の金具３４の下方に、断面Ｌ字状の金具５０が取り付けられている。金具４９、５０には、アタッチメント１３の軸心に向かって突出する部分に貫通孔５１（挿通部ｃ）がそれぞれ形成されている。
そして、アタッチメント１３には、金具４９の貫通孔５１及び金具５０の貫通孔５１にそれぞれ装着されたバネ部材５２、５３（バネ部材ｂ）によって、開口１９ａを下から覆った孔開きカバー１４が取り付けられている。
【００３０】
バネ部材５２（バネ部材５３についても同じ）は、バネ部材３５、３６と同様の構成を有し、孔開きカバー１４に取り付けられた装着部５４（装着部ａ）及び装着部５４に基端側がそれぞれ連結され、弾性力ｐによってそれぞれの先端が距離ｄだけ離れようとするアーム５５、５６（第３、第４のアーム）を有している。
孔開きカバー１４のアタッチメント１３への取り付けは、孔開きカバー１４がアタッチメント１３から距離を有する下方に配された状態で、バネ部材５２のアーム５５、５６の先端を金具４９の貫通孔５１に下側から挿通させ、バネ部材５３のアーム５５、５６の先端を金具５０の貫通孔５１に下側から挿通させることによって行われる。
【００３１】
バネ部材５２（バネ部材５３についても同じ）においては、アーム５５、５６の先端間の距離を距離ｄより小さくした状態でアーム５５、５６を先端から金具４９の貫通孔５１（バネ部材５３については金具５０の貫通孔５１）にそれぞれ挿通して、弾性力ｐによって、孔開きカバー１４をアタッチメント１３に引き寄せる。孔開きカバー１４は、外周が、アタッチメント１３及び天井ボード１９の少なくとも一つに下側から触れるまでアタッチメント１３に引き寄せられ、開口１９ａを覆った状態でアタッチメント１３に固定される。
換気扇１２のモータ２２の作動により、ファン２３が回転駆動され、天井ボード１９の下方の空気は、孔開きカバー１４を通ってアタッチメント１３の下側からアタッチメント１３内に流入し、吸気口２０からカバー体２１内に入って、排気部２５を通りダクト２４に送られる。
【００３２】
以上より、本発明の一実施の形態に係るアタッチメント１３は、図１、図２に示すように、換気扇１２に連結される筒状のものであり、開口１９ａの上方で吸気口２０を下側に配して天井スラブ１１に吊られた換気扇１２に対し、軸心を上下方向に配した状態で上側が吸気口２０に連結され、モータ２２（即ち、換気扇１２）の作動により下側から天井ボード１９の下方の空気が流入すると言える。そして、本実施の形態では、アタッチメント１３が、図２、図３に示すように、側壁部３２ａ、３２ｂ、３２ｃ、３２ｄの上部からなり、外側にシール部材４１が取り付けられて、吸気口２０の内側に差し込まれる枠部５７を上側に備えている。
【００３３】
次に、図６（Ａ）、（Ｂ）、図７（Ａ）、（Ｂ）を参照して、本発明の一実施の形態に係る換気装置１０の設置方法を説明する。
換気装置１０の設置方法は、複数の吊りボルト１５に、図６（Ａ）に示すように、吸気口２０を下側に配した状態で換気扇１２を固定し、排気部２５にダクト２４を接続する工程と、複数の水平棒材１７、１８を、図６（Ｂ）に示すように、天井スラブ１１に吊って換気扇１２より下側に配置させ、複数の水平棒材１７、１８の換気扇１２の直下に位置する部分を取り除く工程と、複数の水平棒材１７、１８に下側から、図７（Ａ）に示すように、天井ボード１９を固定し、天井ボード１９の換気扇１２の直下に位置する領域を取り除いて開口１９ａを形成する工程と、軸心を上下方向に配したアタッチメント１３をバネ部材３５、３６の弾性力Ｐによって換気扇１２に引き付けて、図７（Ｂ）に示すように、アタッチメント１３の上側を吸気口２０に連結する工程と、孔開きカバー１４を、アタッチメント１３に下側から取り付けて、開口１９ａを下から覆う工程とを有する。
【００３４】
そのため、複数の吊りボルト１５に換気扇１２を固定した後、アタッチメント１３と孔開きカバー１４を取り付けて換気装置１０を設置し終えるまで、換気扇１２の高さ位置を調整する必要がない。
また、アタッチメント１３の上側を吸気口２０に連結した際、仮に、天井ボード１９の開口１９ａの外周に折り返し部３１が当接しない場合、アタッチメント１３を換気扇１２から取り外すことで、天井ボード１９と換気扇１２の間に、作業者が、開口１９ａから天井ボード１９の上側に手を入れるスペースを、確保することができる。よって、作業者は、開口１９ａから天井ボード１９の上側に手を入れ、ナット１６を緩めて、換気扇１２の高さ調整を容易に行うことが可能である。
【００３５】
これに対し、図８（Ｂ）に示す従来の換気装置１００、即ち、アタッチメントを有さない換気装置１００においては、天井ボード１０８を取り付けた後、天井ボード１０８と換気扇１０２の間には、換気扇１０２の直下に設けられた天井ボード１０８の開口から天井ボード１０８の上側に手を入れるための十分なスペースがない。従って、作業者は、換気扇１０２の高さ位置を変えるべく、ナット１０５を手で掴むために、天井ボード１０８の上側空間に入る必要があった。
【００３６】
また、複数の水平棒材１７、１８の換気扇１２の直下に位置する領域は、複数の水平棒材１７、１８に天井ボード１９を固定した後に取り除いてもよく、その場合、天井ボード１９に開口１９ａを形成した後、開口１９ａから、切断用の器具を水平棒材１７、１８に近付けて、水平棒材１７、１８の該当領域を取り除き、孔開きカバー１４をアタッチメント１３に取り付ける。
【００３７】
以上、本発明の実施の形態を説明したが、本発明は、上記した形態に限定されるものでなく、要旨を逸脱しない条件の変更等は全て本発明の適用範囲である。
例えば、位置調整機構は必ずしも必要ではなく、換気装置が設置される現場に合わせて、上下方向の長さを調整したアタッチメントを採用してもよい。
また、アタッチメントは、下端に折り返し部を備えている必要はなく、下端に折り返し部を備えている場合、折り返し部を螺子等によって天井ボードに固定する必要は必ずしもない。
そして、孔開きカバーは、バネ部材以外の部材（例えば、螺子）によってアタッチメントに取り付けてもよい。
【符号の説明】
【００３８】
１０：換気装置、１１：天井スラブ、１２：換気扇、１３：アタッチメント、１４：孔開きカバー、１５：吊りボルト、１６：ナット、１７、１８：水平棒材、１９：天井ボード、１９ａ：開口、２０：吸気口、２１：カバー体、２２：モータ、２３：ファン、２４：ダクト、２５：排気部、２６ａ、２６ｂ、２６ｃ、２６ｄ：側壁部、２７：フランジ、２８、２９：金具、３０：貫通孔、３１：折り返し部、３２ａ、３２ｂ、３２ｃ、３２ｄ：側壁部、３３、３４：金具、３５、３６：バネ部材、３７：装着部、３８、３９：アーム、４０：螺子、４１：シール部材、４２：側壁部、４３：貫通孔、４４：側壁部、４５：貫通孔、４６：螺子、４７：吸気口、４８：フイルム、４９、５０：金具、５１：貫通孔、５２、５３：バネ部材、５４：装着部、５５、５６：アーム、５７：枠部
【図１】
2017187198.tif 000003
【図２】
2017187198.tif 000004
【図３】
2017187198.tif 000005
【図４】
2017187198.tif 000006
【図５】
2017187198.tif 000007
【図６】
2017187198.tif 000008
【図７】
2017187198.tif 000009
【図８】
2017187198.tif 000010